(57)【要約】【課題】テレビジョン受信機でリモートコントロールを用いて選局する際に、切り替えに時間がいくらかかかり、わずらわしい。【解決手段】リモートコントロール送信機１０３自体に体温を検知できる機能１０５を付加し、キーに触れた時点でキーを判断し、使用してないチューナであらかじめ選局しておき、キーが押下され確定された際、あらかじめ選局していたチューナへ切り替える。これにより、次の選局情報を先読みすることで、選局の切り替えの高速化が可能となり、使用者の不快感も軽減できる。【選択図】図２
2005065007.tif 000002
【特許請求の範囲】
【請求項１】
リモートコントロール手段を具備したテレビジョン受信機において、前記リモートコントロール手段の操作部に人体の温度を検出するための人体温度検出手段を設け、前記人体温度検出手段による温度検出データに基づき選局の切り替え動作を行うことを特徴とするテレビジョン受信機。
【発明の詳細な説明】
【技術分野】
【０００１】
本発明は、人体温度を検出するリモートコントロールを具備し、番組の選局を行うテレビジョン受信機に関するものである。
【背景技術】
【０００２】
従来のテレビジョン受信機においては、リモートコントロール装置（以下、リモコンと称す）を使用し、テレビジョン受信機の電源スイッチのオンオフのみならず、使用者が視聴したい番組の選局が手元でできるようにしたものが提案されている。
【０００３】
また、リモコンの操作部に人体温度検出手段を設けた装置としては、室内の温度及び湿度を所望の状態に調節するための空気調和器の一例が紹介されている（例えば特許文献１を参照）。
【特許文献１】特開平４−４５３４２号公報
【発明の開示】
【発明が解決しようとする課題】
【０００４】
しかしながら、従来のテレビジョン受信機においては、リモコンの操作における選局の切り替えに時間がかかる場合があり、使用者に不快感を与える場合が存在した。また、特許文献１に記載の発明においては、空気調和する、すなわち使用者にとって快適な温度を自動的に設定するものであり、本発明のようにテレビジョン受信機で選局操作をするものではない。
【課題を解決するための手段】
【０００５】
この目的を達成するために本発明のテレビジョン受信機においては、リモコンを具備したテレビジョン受信機において、前記リモコンの操作部に人体の温度を検出するための人体温度検出手段を設けており、前記人体温度検出手段による温度検出データに基づき選局の切り替え動作を行うことで、従来のテレビジョン受信機のリモコンよりも早く選局することを可能にしたものである。
【発明の効果】
【０００６】
以上のように構成した本発明のテレビジョン受信機によれば、使用者がリモコンを用いてテレビ番組の選局操作を行う際、体温を検出できるリモコンを用いることで、リモコンの希望のキーを触れた際に、まずは、現在使用してないチューナでその番組を選局させておいて、実際にキーが押下され確定された際には、すぐにチューナを切り替えてあらかじめ選局していた番組へ切り替え、使用者の選局動作が遅いという不快感を軽減させることができる。
【発明を実施するための最良の形態】
【０００７】
本発明は、リモコンを用いてテレビ番組を選局する際の高速化を実現したものであり、リモコンに設けられた人体温度検出手段により、人体の表面温度を検出し、その検出に従いテレビ番組を選局できることとなる。以上のようにテレビ番組を選局する際に、体温を検出するリモコンを用いることで、従来より早く選局するという作用を有する。
【０００８】
以下、本発明の実施の形態について、図１と図２を用いて説明する。
【０００９】
（実施の形態１）
図１は本発明の一実施例におけるテレビジョン受信機の外観を示す図である。
【００１０】
図１において、符号１０１はテレビジョン受信機本体、符号１０２はリモコン受光部、符号１０３はリモコン送信機、符号１０４は空温検出部、符号１０５は体温検出部を示す。以上のように構成されたテレビジョン受信機の外観について、以下その動作について説明する。
【００１１】
図１において、本発明のテレビジョン受信機は、テレビジョン受信機本体１０１とリモートコントロール送信機１０３（以下、単にリモコン送信機１０３と略す）から構成されている。テレビジョン受信機本体１０１の前面パネルの一部にはリモコン送信機１０３からの信号を受信するためのリモコン受光部１０２が設けられている。リモコン送信機１０３の内部には、現在の空温を検出するための空温検出部１０４と、使用者の体表温度を検出するための体温検出部１０５が設けられている。その空温検出部１０４としては、一般に熱電対が多用されている。
【００１２】
図２は本発明の一実施例におけるテレビジョン受信機の構成図である。
【００１３】
図２において、符号１０１はテレビジョン受信機本体、符号１０３はリモコン送信機、符号１０４は空温検出部、符号１０５は体温検出部、符号２０１はキー入力部、符号２０２はキー入力判断部、符号２０３は演算部、符号２０４はリモコン信号送信部、符号２０５はマイコン、符号２０６はリモコン信号受信部、符号２０７はチューナ制御部、符号２０８はチューナ１、符号２０９はチューナ２、符号２１０はチューナ切り替え部、符号２１１は映像出力部、符号ＡＣは使用者のキー操作（体温）、符号ＢＣはリモコン信号を示す。
【００１４】
以上のように構成されたテレビジョン受信機について、以下その動作について説明する。
【００１５】
図２のリモコン送信機１０３において、キー入力部２０１は使用者のリモコンによるキー入力ＡＣを受け、体温検出部１０５は使用者の体表温度を検出し、キー入力判断部２０２は使用者がどのリモコンキーを押したかを判断し、空温検出部１０４は空温を検出し、演算部２０３は体温検出部１０５と空温検出部１０４の差を検出し、リモコン信号送信部２０４は検出されたキーのリモコンコードを発生させる。テレビジョン受信機本体１０１において、リモコン信号受信部２０６はリモコン信号ＢＣを受信しリモコンコードを解読し、チューナ制御部２０７はリモコン信号受信部２０３によって判別されたキーに従いチューナの制御を行い、マイコン２０５はリモコン信号受信部２０６とチューナ制御部２０７を兼ね備え、チューナ１２０８はチューナ制御部からの命令を受け選局動作を行い、チューナ２２０９はチューナ制御部からの命令を受け選局動作を行い、チューナ切り替え部２１０はチューナ制御部２０７からの命令を受け、チューナ１２０８とチューナ２２０９のどちらを使うかのスイッチを切り替え、映像出力部２１１でチューナ切り替え部２１０で切り替えたチューナの映像を出力する。
【００１６】
さて、従来の技術では、リモコンを用いて番組を選局する際、切り替えに時間がかかる場合があったため、使用者に不快感を与えることがあった。
【００１７】
前記の問題点を回避するためには、番組の切り替え時間の短縮化を行えばよい。次にその一例を示す。
【００１８】
使用者がテレビで２チャンネルを視聴中に、リモコン送信機１０３を用いて４チャンネルに変えようとしたとする。
【００１９】
そこで使用者はリモコンの上部に付属のチャンネルキーを押そうとする。視聴者がキーに触れた際、キー入力部２０１では、体温検出部１０５により使用者の体温が検出され、また、キー入力判断部２０２ではどのキーが押されたのかを判断する。体温が３６度、キー入力は４チャンネルとする。さらに、空温検出部１０４で現在の気温が検出され、２６度だったとする。次に、演算部２０３によって、空温検出部１０４と体温検出部１０５で検出した値の差が計算される。空温２６度、体温３６度としているので、差は１０度となる。差があるということは、キーが押されようとしているということがわかる。そこで、リモコン信号送信部２０４からキーが押されようとしている４チャンネルという情報ＢＣをテレビジョン受信機本体１０１のマイコン２０５に送り、リモコン信号受信部２０６が４チャンネルという情報を受け取り、チューナ制御部２０７へ４チャンネルという情報を送る。現在第１のチューナ２０８を用いて２チャンネルを視聴しているとすると、チューナ制御部２０７では、使用してない第２のチューナ２０９へ４チャンネルを選局するよう命令を送る。これで、副チューナで前もって４チャンネルを選局することになる。
【００２０】
次に、使用者が４チャンネルのキーを触れている状態から押下したとすると、リモコン送信部１０３のキー入力判断部２０２で４チャンネルが押されたということを確定し、その情報を演算部２０３とリモコン信号送信部２０４、リモコン信号受信部２０６を介し、チューナ制御部２０７に４チャンネルが押下されたとい情報を送る。チューナ制御部２０７では、「現在第１のチューナ２０８を使用し、２チャンネルを視聴している」、「体温検出によって第２のチューナ２０９で前もって４チャンネルを選局している」という２つの情報をもとに、使用者は次に４チャンネルを視聴したいと確定できたため、第１のチューナ２０８から第２のチューナ２０９へ切り替える処理を行う。チューナ切り替え部２１０のスイッチを第２のチューナ２０９の方へ倒し、映像出力部２１１で第１のチューナ２０８を使用して２チャンネルが表示されていたのを、瞬時に第２のチューナ２０９に切り替えることで、あらかじめ選局していた４チャンネルへ切り替える。
【００２１】
使用者が次に視聴しようとする番組の４チャンネルを前もって第２のチューナ２０９で選局していたため、第１のチューナ２０８から第２のチューナ２０９へ切り替えることで選局動作を行い、従来の動作よりも早いく選局を行うことができるのである。
【００２２】
以上のような構成をとっているので、使用者には選局が遅いと言う不快感を覚えさせずに選局を行うことを可能としている。
【００２３】
本実施例において、空温検出部１０４をリモコン送信機１０３内に設けたが、それに限定されるものではなく、テレビジョン受信機本体１０１の方に設けてもよい。そして、前記空温検出部１０４と体温検出部１０５として熱電対を用いる例について説明したが、その他のセンサを用いてもよい。
【００２４】
また、一例としてチャンネルを選局する操作を説明したが、他のキーについても同様の動作を可能とする。
【産業上の利用可能性】
【００２５】
本発明にかかるテレビジョン受信機は、使用者の選局動作が遅いという不快感を軽減させるものであり、リモートコントロールを具備し、番組の選局を行うテレビジョン受信機等において有用である。
【図面の簡単な説明】
【００２６】
【図１】本発明の一実施例におけるテレビジョン受信機の外観を示す図
【図２】本発明の一実施例におけるテレビジョン受信機の構成図
【符号の説明】
【００２７】
１０１    テレビジョン受信機本体
１０２    リモコン受光部
１０３    リモコン装置
１０４    空温検出部
１０５    体温検出部
２０１    キー入力部
２０２    キー入力判断部
２０３    演算部
２０４    リモコン信号送信部
２０５    マイコン
２０６    リモコン信号受信部
２０７    チューナ制御部
２０８    第１のチューナ
２０９    第２のチューナ
２１０    チューナ切り替え部
２１１    映像出力部
【図１】
2005065007.tif 000003
【図２】
2005065007.tif 000004
【手続補正書】
【提出日】平成15年9月25日(2003.9.25)
【手続補正１】
【補正対象書類名】明細書
【補正対象項目名】００１３
【補正方法】変更
【補正の内容】
【００１３】
図２において、符号１０１はテレビジョン受信機本体、符号１０３はリモコン送信機、符号１０４は空温検出部、符号１０５は体温検出部、符号２０１はキー入力部、符号２０２はキー入力判断部、符号２０３は演算部、符号２０４はリモコン信号送信部、符号２０５はマイコン、符号２０６はリモコン信号受信部、符号２０７はチューナ制御部、符号２０８は第１のチューナ、符号２０９は第２のチューナ、符号２１０はチューナ切り替え部、符号２１１は映像出力部、符号ＡＣは使用者のキー操作（体温）、符号ＢＣはリモコン信号を示す。
【手続補正２】
【補正対象書類名】明細書
【補正対象項目名】００１５
【補正方法】変更
【補正の内容】
【００１５】
図２のリモコン送信機１０３において、キー入力部２０１は使用者のリモコンによるキー入力ＡＣを受け、体温検出部１０５は使用者の体表温度を検出し、キー入力判断部２０２は使用者がどのリモコンキーを押したかを判断し、空温検出部１０４は空温を検出し、演算部２０３は体温検出部１０５と空温検出部１０４の差を検出し、リモコン信号送信部２０４は検出されたキーのリモコンコードを発生させる。テレビジョン受信機本体１０１において、リモコン信号受信部２０６はリモコン信号ＢＣを受信しリモコンコードを解読し、チューナ制御部２０７はリモコン信号受信部２０６によって判別されたキーに従いチューナの制御を行い、マイコン２０５はリモコン信号受信部２０６とチューナ制御部２０７を兼ね備え、第１のチューナ２０８はチューナ制御部からの命令を受け選局動作を行い、第２のチューナ２０９はチューナ制御部からの命令を受け選局動作を行い、チューナ切り替え部２１０はチューナ制御部２０７からの命令を受け、第１のチューナ２０８と第２のチューナ２０９のどちらを使うかのスイッチを切り替え、映像出力部２１１でチューナ切り替え部２１０で切り替えたチューナの映像を出力する。
【手続補正３】
【補正対象書類名】明細書
【補正対象項目名】００１９
【補正方法】変更
【補正の内容】
【００１９】
そこで使用者はリモコンの前面に付属のチャンネルキーを押そうとする。視聴者がキーに触れた際、キー入力部２０１では、体温検出部１０５により使用者の体温が検出され、また、キー入力判断部２０２ではどのキーが押されたのかを判断する。体温が３６度、キー入力は４チャンネルとする。さらに、空温検出部１０４で現在の気温が検出され、２６度だったとする。次に、演算部２０３によって、空温検出部１０４と体温検出部１０５で検出した値の差が計算される。空温２６度、体温３６度としているので、差は１０度となる。差があるということは、キーが押されようとしているということがわかる。そこで、リモコン信号送信部２０４からキーが押されようとしている４チャンネルという情報ＢＣをテレビジョン受信機本体１０１のマイコン２０５に送り、リモコン信号受信部２０６が４チャンネルという情報を受け取り、チューナ制御部２０７へ４チャンネルという情報を送る。現在第１のチューナ２０８を用いて２チャンネルを視聴しているとすると、チューナ制御部２０７では、使用してない第２のチューナ２０９へ４チャンネルを選局するよう命令を送る。これで、使用してないチューナで前もって４チャンネルを選局することになる。
【手続補正４】
【補正対象書類名】明細書
【補正対象項目名】００２０
【補正方法】変更
【補正の内容】
【００２０】
次に、使用者が４チャンネルのキーを触れている状態から押下したとすると、リモコン送信機１０３のキー入力判断部２０２で４チャンネルが押されたということを確定し、その情報を演算部２０３とリモコン信号送信部２０４、リモコン信号受信部２０６を介し、チューナ制御部２０７に４チャンネルが押下されたとい情報を送る。チューナ制御部２０７では、「現在第１のチューナ２０８を使用し、２チャンネルを視聴している」、「体温検出によって第２のチューナ２０９で前もって４チャンネルを選局している」という２つの情報をもとに、使用者は次に４チャンネルを視聴したいと確定できたため、第１のチューナ２０８から第２のチューナ２０９へ切り替える処理を行う。チューナ切り替え部２１０のスイッチを第２のチューナ２０９の方へ倒し、映像出力部２１１で第１のチューナ２０８を使用して２チャンネルが表示されていたのを、瞬時に第２のチューナ２０９に切り替えることで、あらかじめ選局していた４チャンネルへ切り替える。
【手続補正５】
【補正対象書類名】明細書
【補正対象項目名】００２７
【補正方法】変更
【補正の内容】
【００２７】
１０１    テレビジョン受信機本体
１０２    リモコン受光部
１０３    リモコン送信機
１０４    空温検出部
１０５    体温検出部
２０１    キー入力部
２０２    キー入力判断部
２０３    演算部
２０４    リモコン信号送信部
２０５    マイコン
２０６    リモコン信号受信部
２０７    チューナ制御部
２０８    第１のチューナ
２０９    第２のチューナ
２１０    チューナ切り替え部
２１１    映像出力部